(57)【要約】【課題】壁面などに取り付けた状態で、赤外線受光器の角度調整を自在にするとともに、赤外線受光器のケーブルをまとまりよく配線できるようにする。【解決手段】赤外線受光器２をアダプタ３を介して壁面１に取り付けるにあたって、アダプタ３は、可塑的に屈曲可能な金属板から赤外線受光器２を支持する支持板３０と、壁面１に止着される止着板３１との相対角度を調整可能として形成され、止着板３１には、ケーブル４を係止するケーブル係止手段３３が切り起こし可能に一体に設けられている。【選択図】　図２
2004037349.tif 000002
【特許請求の範囲】
【請求項１】
赤外線発信装置からの赤外線信号を受信する受光面と、受信器本体に接続されるケーブルとを含む赤外線受光器をアダプタを介して壁面などの相手材に取り付ける赤外線受光器の取付構造において、
上記アダプタは、ほぼ中央部分からＶ字状に折り曲げられ、その一方の片を上記相手材に対する止着板とし、他方の片を上記赤外線受光器を支持する支持板とする可塑的に屈曲可能な金属板からなり、上記止着板の一部分には、上記ケーブルを引っ掛け可能とするケーブル係止手段が一体に設けられていることを特徴とする赤外線受光器の取付構造。
【請求項２】
上記ケーブル係止手段は、上記止着板に対して切り起こし可能な少なくとも１以上の可塑的に屈曲可能な係止片からなる請求項１に記載の赤外線受光器の取付構造。
【請求項３】
上記赤外線受光器には、上記支持板に対して着脱自在な嵌合手段が設けられている請求項１または２に記載の赤外線受光器の取付構造。
【請求項４】
上記止着板と上記支持板との間には、屈曲を容易とするため上記止着板および上記支持板よりも脆弱化されたヒンジ部が設けられている請求項１，２または３に記載の赤外線受光器の取付構造。
【発明の詳細な説明】
【０００１】
【発明の属する技術分野】
本発明は、赤外線発信装置からの赤外線信号を受光する赤外線受光器の取付構造に関し、さら詳しく言えば、赤外線受光器の受光面の角度調整を自在として壁などの相手材に容易に取り付けることができる赤外線受光器の取付構造に関するものである。
【０００２】
【従来の技術】
赤外線受信装置は、主として、赤外線受光器と、赤外線受光器とケーブルを介して接続される受信器本体とで構成され、赤外線発信装置から発せられる信号を赤外線受光器にて受信する。赤外線受信装置と赤外線発信装置とが対として使用されるものとしては、例えば、赤外線館内案内システムや赤外線会議システム，カラオケシステムなどが挙げられる。
【０００３】
このうち、赤外線館内案内システムでは、入場者に発光器などの赤外線発信装置を携帯させ、館内の複数所定箇所に設置されている赤外線受光器にて入場者からの発信信号を受光し、受信器本体にて入場者の位置を検知する。
【０００４】
この場合、例えば赤外線受光器には音声再生手段が付設されており、受信器本体は、入場者の存在を検知することによって音声再生手段を作動させ、入場者に対し、現在の位置状況や次への移動場所などを音声にて案内する。
【０００５】
また、赤外線会議システムでは、例えば参加者の各テーブルに設置されているマイクロホンに赤外線発信装置が設けられ、発言者がマイクロホンのスイッチをオンとすることにより赤外線信号が発せられる。
【０００６】
この赤外線信号は、会議場の複数所定箇所に設置されている赤外線受光器にて受光され受信器本体に送られる。受信器本体側では、その赤外線信号に基づいて発言順序や発言時間などを管理する。赤外線によれば、電波による送受信方式に比べて盗聴される危険性が少ないという利点がある。
【０００７】
赤外線発信装置と赤外線受信装置とは対として用いられ、上記のようなシステムでは、複数の赤外線発信装置から送信される赤外線を赤外線受信器によって一括監視するようにしている。そのため、赤外線受光器は、広い範囲にわたって受光面の受光感度が最適となる角度で壁面や天井などに設置される必要がある。
【０００８】
通常、この種の赤外線受光器はアダプタを介して壁面や天井など相手材に取り付けられるが、従来では、取付角度の異なる数種類のアダプタが用意され、その中から現場の状況に応じて好適とされるアダプタを試行錯誤的に選択するようにしている。そのため、赤外線受光器の設置作業に手間がかかるばかりでなく、最終的に最適角度が得られず、不本意ながら妥協せざるを得ない面がある。
【０００９】
また、赤外線受光器は往々にして壁面などの人の目につくところに設置されるため、赤外線受光器に接続されるケーブルがまとまりなく壁面などにぶら下がって設置されると視覚的に好ましくない。
【００１０】
そればかりでなく、このようにケーブルがぶら下がった状況では、何者かによってケーブルが引っ張られやすく、最悪の場合には、赤外線受光器がアダプタから脱落してしまうそれがある。
【００１１】
【発明が解決しようとする課題】
したがって、本発明の課題は、壁面や天井など相手材に取り付けた状態で、赤外線受光器の受光面の角度調整を自在にするとともに、赤外線受光器のケーブルをまとまりよく配線することができるようにし、かつ、赤外線受光器の着脱を容易とする赤外線受光器の取付構造を提供することにある。
【００１２】
【課題を解決するための手段】
上記課題を解決するため、本発明は、赤外線発信装置からの赤外線信号を受信する受光面と、受信器本体に接続されるケーブルとを含む赤外線受光器をアダプタを介して壁面などの相手材に取り付ける赤外線受光器の取付構造において、上記アダプタは、ほぼ中央部分からＶ字状に折り曲げられ、その一方の片を上記相手材に対する止着板とし、他方の片を上記赤外線受光器を支持する支持板とする可塑的に屈曲可能な金属板からなり、上記止着板の一部分には、上記ケーブルを引っ掛け可能とするケーブル係止手段が一体に設けられていることを特徴としている。
【００１３】
上記アダプタによれば、壁面などの相手材に取り付けた状態で、赤外線受光器の受光角度を無段階に調整可能であるとともに、上記止着板に形成されているケーブル係止手段により、ケーブルを体裁よく配線することができる。
【００１４】
本発明において、止着板と支持板との間には、屈曲を容易とするため止着板および支持板よりも脆弱化されたヒンジ部が設けられていることが好ましく、これによれば、止着板と支持板との相対角度をより容易に調整することができる。
【００１５】
また、本発明において、ケーブル係止手段は止着板に対して切り起こし可能な少なくとも１以上の可塑的に屈曲可能な係止片からなる。このケーブル係止手段は止着板のどこに設けられてもよいが、止着板の両側辺に沿って形成されることが好ましい。これによれば、ケーブルを左右のいずれから引き出す場合にも体裁よく対応することができる。
【００１６】
また、本発明において、赤外線受光器は、支持板に対して着脱自在とする嵌合手段を備えており、この点も本発明の特徴の一つである。
【００１７】
【発明の実施の形態】
次に、図面を参照して、本発明の実施形態について説明する。図１は本発明によるアダプタ３を用いて赤外線受光器２を相手材としての例えば壁面１に取り付けた例を示す概略的斜視図、図２はその側面図である。
【００１８】
赤外線受光器２は、ケース本体２１の前面に赤外線信号を受光する受光面２０を有し、ケース本体２１から図示しない受信器本体に接続されるケーブル４が引き出されている。また、ケース本体２１の背面２２にはアダプタ３が取り付けられ、赤外線受光器２はアダプタ３を介して壁面１に取り付けられる。
【００１９】
図３および図４はアダプタ３を示すもので、アダプタ３は、適宜な可塑性を有する金属板で一体的に形成されている。アダプタ３は、赤外線受光器２を支持する支持板３０と壁面１に止着される止着板３１とを備えている。
【００２０】
アダプタ３は、支持板３０と止着板３１との間に形成されているヒンジ部３２を介してほぼＶ字状に折り曲げ可能である。この例では、ヒンジ部３２には孔３２ａが打ち抜かれており、これにより人の手で容易に曲げることができるように脆弱化されている。
【００２１】
ヒンジ部３２の脆弱化の程度は、屈曲の容易性と赤外線受光器２の重量との関係で決められ、この例では、赤外線受光器２を壁面１に対して６０゜傾けても、その角度を維持できるように設計されている。ヒンジ部３２を脆弱化する別の例として、ヒンジ部３２の幅を狭くしたり、ヒンジ部３２を薄肉化してもよい。
【００２２】
止着板３１には、ケーブル４を係止するためのケーブル係止手段３３が設けられている。ケーブル係止手段３３は、止着板３１の一部分を切り起こしてなるもので、この例では、止着板３１の両側辺に沿って形成された２つのケーブル係止片３３を備えている。ケーブル係止片３３も、ヒンジ部３２と同様に、人の手で容易に曲げることのできる程度の屈曲性を有して形成される。
【００２３】
この例において、止着板３１の適宜箇所には、２つのビス孔３４が設けられており、図２に示すように、止着板３１はビス５により壁面１に固定される。なお、場合によっては、ビスに代えて両面粘着テープにより止着板３１を壁面１に取り付けてもよい。
【００２４】
図５により、このアダプタ３を用いて赤外線受光器２を壁面１に取り付ける手順の一例を説明する。図５（ａ）に示すように、アダプタ３をヒンジ部３２から折り曲げて、支持板３０と止着板３１との相対角度Ａを所定の角度（この例では６０゜以下）にした後、止着板３１をビス５によって壁面１に固定する。
【００２５】
この場合、支持板３０に所定箇所に適宜大きさの開口部３５を設けるとともに、その自由端側に適宜大きさの凹部３６を形成しておくことが好ましい。これによれば、支持板３０と止着板３１との相対角度Ａを調整した後でも、一方のビス５を開口部３５を介して一方のビス孔３４へ、また、他方のビス５を凹部３６を介して他方のビス孔３４へと挿通させることができる。
【００２６】
上記のようにして、アダプタ３を壁面１に固定した後、赤外線受光器２のケース本体２１をアダプタ３の支持板３０に取り付けるのであるが、この例では、図２に示すように、ケース本体２１の背面２２に支持板３０に嵌合するスライド溝２３が設けられている。
【００２７】
したがって、図５（ｂ）に示すように、ケース本体２１を支持板３０に差し込むようにして、赤外線受光器２をアダプタ３に簡単に着脱自在に取り付けることができる。なお、スライド溝２３に代えて、図示しないが、ケース本体２１の背面２２の両側辺に沿って支持板３０の両側縁に嵌合する断面コ字状のガイドレールを外付けしてもよい。
【００２８】
また、支持板３０の凹部３６が形成される先端部３７の横幅を支持板３０の横幅より短くすることが好ましい。これによれば、支持板３０がスライド溝２３内に挿入される当初の位置決めが容易となり、スライド溝２３に沿って支持板３０をスムーズにスライド挿入させることができる。なお、場合によっては、両面粘着（接着）テープを用いて赤外線受光器２をアダプタ３に取り付けてもよい。
【００２９】
アダプタ３は可塑的に屈曲自在であるため、例えば赤外線受光器２をアダプタ３に取り付けた状態でも受光角度の微調整を行うことができる。また、図１に示すように、いずれか一方のケーブル係止片３３を止着板３１から切り起こしてケーブル４を引っ掛けた後、ケーブル４が容易に脱落しないように、ケーブル係止片３３の先端を壁面１側に向けてほぼくの字状に折り曲げる。
【００３０】
このようにして、本発明によれば、アダプタ３を介して赤外線受光器２を角度調整可能に、かつ、ケーブル４をまとまりよく係止して壁面１に取り付けることができる。
【００３１】
なお、上記実施形態では、ケーブル係止片３３は、止着板３１の両側辺に沿って２つ設けられているが、これに限られることはなく、ケーブル係止片３３は、ケーブル４をまとまりよく掛け止めを可能として止着板３１の適宜箇所に設けられていればよい。また、ケーブル係止片３３は、ケース本体２１から引出されるケーブル４の太さや引出し位置に適応できる適宜の個数が適宜箇所に用意されて形成されることが好ましい。
【００３２】
【発明の効果】
以上説明したように、本発明の取付構造によれば、赤外線受光器を支持する支持板と、相手材へと止着される止着板との相対角度を容易に調整することができるため、受光面の受光角度を最適なものとして赤外線受光器を相手材へと取り付けることができ、赤外線受光器の受光感度を向上させることができるとともに、赤外線受光器が支持板に対して着脱自在であるため、赤外線受光器のメンテナンスを行う上でも便利である。
【００３３】
また、アダプタには、ケーブルを係止するケーブル係止手段が設けられているため、赤外線受光器から引き出されているケーブルをまとまりよく掛け止めすることができるだけでなく、外的衝撃によって生じる赤外線受光器とケーブルとの接続部分への負荷を低減させ、故障などの障害を回避することができる。
【図面の簡単な説明】
【図１】本発明によるアダプタを介して赤外線受光器を壁面に取り付けた状態を示す概略的斜視図。
【図２】図１の側面図。
【図３】上記アダプタを示す斜視図。
【図４】上記アダプタを示す斜視図。
【図５】本発明の取付構造に係る取付手順の一例を説明するための斜視図。
【符号の説明】
１　壁面（相手材）
２　赤外線受光器
３　アダプタ
４　ケーブル
２０　受光面
２１　ケース本体
２３　スライド溝
３０　支持板
３１　止着板
３２　ヒンジ部
３３　ケーブル掛止片
３４　ビス孔
３５　開口部
３６　凹部
【図１】
2004037349.tif 000003
【図２】
2004037349.tif 000004
【図３】
2004037349.tif 000005
【図４】
2004037349.tif 000006
【図５】
2004037349.tif 000007